(57)【特許請求の範囲】
【請求項１】
腹板の上端に上フランジを有すると共に下端に下フランジを有する複数本の鋼材を並列し、上フランジ上に床面を形成した床構造体において、隣接する鋼材の上フランジ間と下フランジ間に介在したずれ止めスペーサーを備え、該ずれ止めスペーサーは隣接する左側鋼材の上下フランジ間に嵌合される左嵌合部と、同右側鋼材の上下フランジ間に嵌合される右嵌合部と、隣接する鋼材の上フランジ間に介在される上介在部と、隣接する下フランジ間に介在される下介在部とを備え、上記上下介在部と左嵌合部の連設部に形成される左側上下段部を左側鋼材の上フランジの下面と下フランジの上面に係合すると共に、上記上下介在部と右嵌合部の連設部に形成される右側上下段部を右側鋼材の上フランジの下面と下フランジの上面に係合し、上記各係合により各鋼材の下方ずれを制止する構造としたことを特徴とする床構造体。
【請求項２】
腹板の上端に上フランジを有すると共に下端に下フランジを有する複数本の鋼材を並列し、上フランジ上に床面を形成した床構造体において、隣接する左側鋼材の上下フランジと腹板間に画成されたスペースに嵌装した左ずれ止めブロックと、隣接する右側鋼材の上下フランジと腹板間に画成されたスペースに嵌装した右ずれ止めブロックとを備え、該左右ずれ止めブロックの互いに対向する側面を隣接する鋼材間において加圧突き合わせし、該加圧突き合わせ面の面圧と摩擦係合により各鋼材の下方ずれを制止する構造としたことを特徴とする床構造体。
【請求項３】
腹板の上端に上フランジを有すると共に下端に下フランジを有する複数本の鋼材を並列し、上フランジ上に床面を形成した床構造体において、隣接する左側鋼材の上下フランジと腹板間に画成されたスペースに嵌装した左ずれ止めブロックと、隣接する右側鋼材の上下フランジと腹板間に画成されたスペースに嵌装した右ずれ止めブロックとを備え、該左右ずれ止めブロックの互いに対向する側面を隣接する鋼材間において加圧突き合わせし、該両加圧突き合わせ面に互いに係合する凹凸部又は段部を形成して各鋼材の下方ずれを制止する構造としたことを特徴とする床構造体。
【請求項４】
上記左右ずれ止めブロックが軽量発泡コンクリート又は硬質発泡樹脂から成ることを特徴とする請求項２又は３記載の床構造体。
【発明の詳細な説明】
【０００１】
【発明の属する技術分野】
本発明は河川や陸上の橋梁における床版橋構造、又は鉄骨建物や鉄筋コンクリート建物等の各階層のスラブ構造、若しくは地下工事の上面に設ける路盤構造、或いは地面に置き敷きされる路盤構造等の床構造体に関する。
【０００２】
【従来の技術】
特許文献１は上フランジと下フランジと腹板で構成された鋼材を並列し、隣接する鋼材間、即ち隣接する鋼材の上下フランジと腹板とで形成されたスペースに鉄筋を配筋すると共にコンクリートを打設し、更に橋幅方向において鉄筋コンクリートと腹板とを貫通するＰＣ鋼材にて両者を締結する橋梁構造を示している。
【０００３】
上記橋梁構造は鋼材間に打設した鉄筋コンクリートにて車輌等の活荷重に対する橋梁強度を担わせんとする設計思想に基づいている。
【０００４】
又従来鉄骨建物の各階層のスラブ構造は梁材に床板を支持して形成しており、又鉄筋コンクリート建物の各階層のスラブ構造は一体打ちコンクリートで形成するのが通常である。同様に地下工事の上面に仮設する路盤構造は鉄板を梁材で支持する方法、又トラックや重機が出入りする工事現場においては単に鉄板を地面に敷設して仮路盤を形成する方法等が採られている。
【０００５】
【特許文献１】
特開平８−２５３９１２号公報
【０００６】
【発明が解決しようとする課題】
然しながら上記特許文献１に示す橋梁は、鋼材と現場打ち鉄筋コンクリートで一体化する構造であり、鋼材毎に分解し再使用するユニット構造化は全く考慮されていない。
【０００７】
従って仮設橋等の床構造としては適しておらず、架け替え時には大掛かりな解体作業と多額の解体費用を要し、更には多量の廃材を生じ、環境を損なう。加えて型枠工と配筋工とコンクリート打設工が必要であり、総じて工費アップを招く。
【０００８】
他方上記路盤構造においては高重量の鉄板を多数枚敷き詰め或いは回収せねばならず、又鉄板間に段差や隙間を生じ、又過度の歩行音を生じ、強度や外観の面から本来の床構造体とは言い難いものである。
【０００９】
又コンクリート建物においてスラブをコンクリートで一体打ちする場合には、煩雑な型枠工と多数本のジャッキの設置とそれらの撤去に手間が掛かり、コンクリート養生等を加えると工期が長く掛かり、総じて工費アップを招く。
【００１０】
又鉄骨建物においては床板と梁材間に横架した根太によって荷重を支える構造が一般的であるが、撓みやきしみを生じがちであり、又根太と床板と天井板の構築に手間と時間を要する。
【００１１】
【課題を解決するための手段】
本発明は上記問題点を適切に解決する床版橋における架橋床構造体、鉄骨建物や鉄筋コンクリート建物における床構造体、地下構築物上面の床構造体、地面に敷設する床構造体を提供する。
【００１２】
本発明に係る床構造体は、腹板の上端に上フランジを有すると共に下端に下フランジを有する複数本の鋼材を並列し、上フランジ上に床面を形成した床構造体において、隣接する鋼材の上フランジ間又は／及び下フランジ間に介在したずれ止めスペーサーを備え、該ずれ止めスペーサーは上記隣接上フランジ又は／及び同下フランジに係合して鋼材個々に加わる活荷重を荷受けし下方ずれを制止する荷受け部を有する。
【００１３】
その具体例として上記隣接する鋼材の上フランジ間と下フランジ間に介在したずれ止めスペーサーを備え、該ずれ止めスペーサーは隣接する左側鋼材の上下フランジ間に嵌合される左嵌合部と、同右側鋼材の上下フランジ間に嵌合される右嵌合部と、隣接する鋼材の上フランジ間に介在される上介在部と、隣接する下フランジ間に介在される下介在部とを備える。
【００１４】
そして上記上下介在部と左嵌合部の連設部に形成される左側上下段部を左側鋼材の上フランジの下面と下フランジの上面に係合すると共に、上記上下介在部と右嵌合部の連設部に形成される右側上下段部を右側鋼材の上フランジの下面と下フランジの上面に係合し、上記各係合により鋼材個々の下方ずれを制止する構成を有する。
【００１５】
又他例として上記Ｈ形鋼を用いた床構造体において、隣接する左側鋼材の上下フランジと腹板間に画成されたスペースに嵌装した左ずれ止めブロックと、隣接する右側鋼材の上下フランジと腹板間に画成されたスペースに嵌装した右ずれ止めブロックとを備え、該左右ずれ止めブロックの互いに対向する側面を隣接する鋼材間において加圧突き合わせし、該加圧突き合わせ面の面圧と摩擦係合により鋼材個々の下方ずれを制止する構成とする。
【００１６】
又他例として上記Ｈ形鋼を用いた床構造体において、上記左右ずれ止めブロックの互いに対向する側面を隣接する鋼材間において加圧突き合わせし、該両加圧突き合わせ面に互いに係合する凹凸部又は段部を形成して鋼材個々の下方ずれを制止する構成とする。
【００１７】
好ましくは上記左右ずれ止めブロックとして軽量発泡コンクリート又は硬質発泡樹脂を用いる。
【００１８】
上記床構造体は鋼材を並列して床構造体を形成する場合の活荷重に対するずれ止め手段として有効である。上記ずれ止めスペーサーを予め用意し、該ずれ止めスペーサーを並列せる鋼材のフランジ間に嵌合介在することにより鋼材個々の活荷重に対する下方ずれを有効に防止する。
【００１９】
同様に予め用意した上記左右ずれ止めブロックを上記各鋼材に嵌装して置き、両ブロックを鋼材を並列しつつ単に加圧突き合わせすることにより、上記活荷重に対する上下のずれ止め効果が適切に得られる。
【００２０】
又上記何れの場合も、鋼材による床構造体の組み立てが容易に行え、コストダウンを達成できる。
【００２１】
更には上記何れの場合も床構造体のユニット構造化が可能であり、解体と再使用が可能である。
【００２２】
【発明の実施の形態】
以下本発明に係る床構造体の実施の形態を図１乃至図８に基づき説明する。
【００２３】
図１乃至図８に示す床構造体は、腹板１の上端に上フランジ２を有すると共に下端に下フランジ３を有する複数本の鋼材４を並列し、上フランジ２上に床面を形成した、前記床版橋における架橋床構造体、鉄骨建物や鉄筋コンクリート建物における床構造体、地下構築物上面の床構造体、地面に敷設する床構造体である。
【００２４】
上記鋼材４は腹板１の上端に左右対称に張り出す上フランジ２を溶接すると共に、腹板１の下端に左右対称に張り出す下フランジ３を溶接してＨ形に形成する。好ましくは汎用されているＪＩＳ規格のＨ形鋼をそのまま適用する。
【００２５】
上記床構造体が床版橋である場合には上記鋼材４（床構造体）の両端、即ち下フランジ３の両端を橋脚５間に架橋支持する。この場合上記鋼材４は主桁を構成する。
【００２６】
又建物の場合には上記鋼材４（床構造体）の両端、即ち下フランジ３の両端を垂直壁間に架橋支持し、各階層のスラブを形成する。又地面に路盤を形成する場合には上記鋼材４（床構造体）を下フランジ３を以って地面に置き敷きする。又地下空間に構築した足場上に鋼材４（床構造体）を下フランジ３を以って載設し、各例示において上フランジ２上に床面を構築する。
【００２７】
図１，図２に示す共通構造として、上記床構造体において、隣接する鋼材４の上フランジ２間又は／及び下フランジ３間にずれ止めスペーサー６を介在し、該ずれ止めスペーサー６の荷受け部７を上記隣接上フランジ２又は／及び同下フランジ３に係合して鋼材４個々に加わる活荷重を荷受けして鋼材４個々の下方ずれを制止する。即ち各鋼材４個々に加わる活荷重は上記ずれ止めスペーサー６を介して隣接する鋼材４に負荷され、全体に負荷され分散される。
【００２８】
その第１の具体例として図１，図２に示すように、上記隣接する鋼材４の上フランジ２間と下フランジ３間に介在したずれ止めスペーサー６を備え、該ずれ止めスペーサー６は隣接する左側鋼材４の上下フランジ２，３間に嵌合される左嵌合部８と、同右側鋼材４の上下フランジ２，３間に嵌合される右嵌合部９と、隣接する鋼材４の上フランジ２間に介在される上介在部１０と、隣接する下フランジ３間に介在される下介在部１１とを備える。
【００２９】
そして上記上介在部１０と左嵌合部８の連設部に形成される左側上段部１２を左側鋼材４の上フランジ２の下面に係合すると共に、上記上介在部１０と左嵌合部８の連設部に形成される左側下段部１３を左側鋼材４の下フランジ３の上面に係合する。
【００３０】
同時に上記上介在部１０と右嵌合部９の連設部に形成される右側上段部１４を右側鋼材４の上フランジ２の下面に係合すると共に、上記上介在部１０と右嵌合部９の連設部に形成される右側下段部１５を右側鋼材４の下フランジ３の上面に係合し、上記各係合により鋼材４個々の下方ずれを制止する。
【００３１】
又第２の具体例として図２に示すように、上記ずれ止めスペーサー６の上介在部１０の上端に、隣接する鋼材４の両上フランジ２の上面に係合する上係合部１８を設け、更に上記ずれ止めスペーサー６の下介在部１１の下端に、隣接する鋼材４の両下フランジ３の下面に係合する下係合部１９を設ける。
【００３２】
即ちずれ止めスペーサー６の上介在部１０の左右に上部係合溝１６を設け、該左右上部係合溝１６に、隣接する鋼材４の各上フランジ２を夫々係入し、上記両上フランジ２を拘束する。よって上記左右上部係合溝１６を画成する対設上段部１２，１４にて上記荷受け部７を形成する。
【００３３】
同様にずれ止めスペーサー６の下介在部１１の左右に下部係合溝１７を設け、該左右下部係合溝１７に、隣接する鋼材４の各下フランジ３を夫々係入し、上記両下フランジ３を拘束する。よって上記左右下部係合溝１７を画成する対設下段部１３，１５にて上記荷受け部７を形成する。
【００３４】
又他例として図３乃至図６に示すように、上記Ｈ形鋼を用いた床構造体において、隣接する左側鋼材４の上下フランジ２，３と腹板１間に画成されたスペースに嵌装した左ずれ止めブロック２０と、隣接する右側鋼材４の上下フランジ２，３と腹板１間に画成されたスペースに嵌装した右ずれ止めブロック２０とを備える。即ち各鋼材４は左右ずれ止めブロック２０を備える。
【００３５】
そして上記鋼材４を並列しつつ、上記左右ずれ止めブロック２０の互いに対向する側面２１を隣接する鋼材４間において加圧突き合わせし、該加圧突き合わせ面２１の面圧と摩擦係合により各鋼材４の下方ずれを制止する構成とする。
【００３６】
又図５に示すように、上記Ｈ形鋼を用いた床構造体において、上記左右ずれ止めブロック２０の互いに対向する側面２１を隣接する鋼材４間において加圧突き合わせしつつ、該両加圧突き合わせ面２１に互いに係合する凹部２２と凸部２３又は段部を形成して鋼材４個々の下方ずれを制止する構成とする。
【００３７】
上記左右ずれ止めブロック２０はその上面と下面を上フランジ２の下面と下フランジ３の上面とによって規制され、その一側面（上記突き合わせ面と対向する側面）を腹板１の側面によって規制するようにして腹板１の左右に嵌装する。
【００３８】
図３は上記左右ずれ止めブロック２０を全て同一の大きさのものを用い、夫々を各鋼材４の左側の上下フランジ２，３と腹板１とによって画成された左側スペースに嵌装すると共に、各鋼材４の右側の上下フランジ２，３と腹板１とによって画成された右側スペースに嵌装する。
【００３９】
上記左右ずれ止めブロック２０は図６に示すように、左右ずれ止めブロック２０と腹板１とにボルト２４を貫挿し、該ボルト２４の両端を左右ずれ止めブロック２０の対向する側面２１に形成した逃げ孔２５においてナット２６締めし、鋼材４と左右ずれ止めブロック２０とを一体化する。
【００４０】
上記左右ずれ止めブロック２０を備える鋼材４を並列して上記ずれ止めブロック２０相互の加圧突き合わせを得る。
【００４１】
図３は同一大きさのずれ止めブロック２０を各鋼材４に担持させ、各ずれ止めブロック２０を上フランジ２の端部、又は上フランジ２と下フランジ３の端部から突出させ上記突き合わせに供している。
【００４２】
他方図４は各鋼材４の左側（又は右側）の上記スペースに上フランジ２の端部、又は上フランジ２と下フランジ３の端部から突出するずれ止めブロック２０を嵌装し担持させると共に、同右側（又は左側）の上記スペースに上フランジ２と下フランジ３の端部から没入する、即ち上記スペース内に没入するずれ止めブロック２０を嵌装し担持させる。
【００４３】
よって隣接する鋼材４の突出ずれ止めブロック２０の突出部を、隣接する鋼材４の没入ずれ止めブロック２０のスペース内、即ち上下フランジ２，３間に嵌合しつつ、両ずれ止めブロック２０の対向する側面２１を突き合わせる。この突き合わせ面２１を図３に示す加圧摩擦係合に依存しずれ止めとするか、又は図５に示す凹凸係合によりずれ止めとする。このずれ止めブロック２０においても図６に示すように、ボルト２４にて鋼材４と一体化する。
【００４４】
好ましくは上記左右ずれ止めブロック２０として軽量発泡コンクリート又は硬質発泡樹脂を用い、軽量化を図る。
【００４５】
又は図７Ａに示すように、集成木材、例えば角形木柱を集成して角形の集成木材を形成し、該集成木材を上記左右ずれ止めブロック２０として使用する。
【００４６】
又は上記左右ずれ止めブロック２０は図７Ｂに示すように、金属製、例えば鋼管材、又は合成樹脂製管材、又はコンクリート製管材を用いる。
【００４７】
上記図１乃至図２に示すフランジ間介在ずれ止めスペーサー６、並びに図３乃至図７に示す左右ずれ止めブロック２０は、締結線材２７にて各鋼材４と一体に締結する。
【００４８】
即ち各ずれ止めスペーサー６と腹板１に床幅方向（鋼材並列方向）において連通する貫通孔２８を設け、同様に左右ずれ止めブロック２０と腹板１に床幅方向（鋼材並列方向）において連通する貫通孔２８を設け、該貫通孔２８に長尺の締結線材２７を貫挿し、該締結線材２７の両端にナット２９を螺合締結し、ずれ止めスペーサー６又は左右ずれ止めブロック２０と全鋼材４とを一体に締結する。上記締結線材２７は鋼ワイヤー又は無垢の鋼筋である。
【００４９】
よって上記ずれ止めスペーサー６は各隣接する鋼材４の上フランジ２間又は／及び下フランジ３間に加圧締めされ、同フランジ２，３の端部に密着する。
【００５０】
同様に上記左右ずれ止めブロック２０は各隣接する鋼材４の腹板１の左右側面に加圧締めされ、同側面に密着する。同時に左右ずれ止めブロック２０の対向する側面２１を加圧突き合わせする。
【００５１】
図８Ａに示すように、上記ずれ止めスペーサー６は鋼材４の軸方向において間隔的に複数配設するか、又は互いに密着して鋼材４の軸方向に連設する。
【００５２】
同様に図８Ｂに示すように、上記左右ずれ止めブロック２０は鋼材４の軸方向において間隔的に複数配設するか、又は互いに密着して鋼材４の軸方向に連設する。
【００５３】
上記鋼材４の上フランジ２と下フランジ３は、互いに等幅に張り出す構造のものを用いるか、又は上フランジ２は短幅にし、下フランジ３は長幅にした構造のものを用いる。
【００５４】
上記床構造体は鋼材４の上フランジ２の上面を直接床面とするか、又は上フランジ２の上面にコンクリート又はアスファルト等による舗装３０を施し、その上面を床面とする。又は床構造体の上フランジ２上に根太や床板を用いて床組みを構築し、よって上フランジ２上に床面を形成する。
【００５５】
【発明の効果】
本発明は鋼材を並列して床構造体を形成する場合の活荷重に対するずれ止め手段として極めて有効である。即ち鋼材を並列しつつ、上記ずれ止めスペーサーを並列せる鋼材のフランジ間に嵌合介在することにより鋼材個々の活荷重に対する下方ずれを有効に防止できる。
【００５６】
同様に上記左右ずれ止めブロックを上記各鋼材に嵌装して置き、両ブロックを鋼材を並列しつつ単に加圧突き合わせすることにより、上記活荷重に対する上下のずれ止め効果が適切に得られる。
【００５７】
又上記何れの場合も、鋼材による床構造体の組み立てが容易に行え、コストダウンを達成できる。
【００５８】
更には上記何れの場合も床構造体のユニット構造化が可能であり、解体と再使用が可能である。
【図面の簡単な説明】
【図１】  ずれ止めスペーサーを用いた第１実施形態例を示す床構造体の断面図。
【図２】  ずれ止めスペーサーを用いた第２実施形態例を示す床構造体の断面図。
【図３】  ずれ止めブロックを用いた第１実施形態例を示す床構造体の断面図。
【図４】  ずれ止めブロックを用いた第２実施形態例を示す床構造体の断面図。
【図５】  ずれ止めブロックを用いた第３実施形態例を示す床構造体の断面図。
【図６】  上記各例におけるずれ止めブロックの鋼材に対する取り付け構造を例示する断面図。
【図７】  Ａは上記ずれ止めブロックとして集成木材を使用した例を示す断面図、Ｂは上記ずれ止めブロックとして管材を使用した例を示す断面図。
【図８】  Ａは上記ずれ止めスペーサーを用いた床構造体の鋼材軸方向側面図、Ｂは上記ずれ止めブロックを用いた床構造体の鋼材軸方向側面図。
【符号の説明】
１…腹板、２…上フランジ、３…下フランジ、４…鋼材、５…橋脚、６…ずれ止めスペーサー、７…荷受け部、８…左嵌合部、９…右嵌合部、１０…上介在部、１１…下介在部、１２…左側上段部、１３…左側下段部、１４…右側上段部、１５…右側下段部、１６…左右上部係合溝、１７…左右下部係合溝、１８…上係合部、１９…下係合部、２０…ずれ止めブロック、２１…加圧突き合わせ面、２２…凹部、２３…凸部、２４…ボルト、２５…逃げ孔、２６…ナット、２７…締結線材、２８…貫通孔、２９…ナット、３０…舗装
【図１】
0003708517.tif 000002
【図２】
0003708517.tif 000003
【図３】
0003708517.tif 000004
【図４】
0003708517.tif 000005
【図５】
0003708517.tif 000006
【図６】
0003708517.tif 000007
【図７】
0003708517.tif 000008
【図８】
0003708517.tif 000009